(57)【要約】【課題】投射画像の画質を向上させる光学部材の調整作業を容易に行う。【解決手段】反射型プロジェクタ５の第一筐体８ａ内には、反射型ライトバルブ、偏光板、１／４波長板などの光学部材が設けられている。第一筐体８ａの上部には、反射型ライトバルブを駆動させる回路基板１０が設けられており、フレキシブル電極によって反射型ライトバルブと回路基板は電気的に接続されている。第一筐体８ａの下面には、反射型ライトバルブ、偏光板、１／４波長板などをそれぞれの入射光軸を中心に回転調整させる調整部材１３が突出して設けられている。これにより、反射型ライトバルブを駆動させながらでも、容易に投射画像の画質を調整できる。【選択図】        図２
2005031296.tif 000002
【特許請求の範囲】
【請求項１】
光源と、この光源からの光を変調する液晶ライトバルブと、変調された画像光をスクリーンに投射する投射レンズと、前記光源から前記投射レンズまでの光路上に設けられ、光の照度分布や偏光方向を前記画像光を投射するために最適な状態にする光学部材とを収納する筐体を有した投射型画像表示装置において、
前記液晶ライトバルブ及び前記光学部材のうち少なくとも一つの姿勢及び／または固定位置の調整を行う調整手段と、前記液晶ライトバルブを駆動させる回路基板とを前記筐体の異なる面側に設けたことを特徴とする投射型画像表示装置。
【請求項２】
前記光学部材は、偏光板、波長板、及びインテグレータ光学系のうちの少なくとも一つであることを特徴とする請求項１記載の投射型画像表示装置。
【請求項３】
前記調整手段が複数設けられており、これらの調整手段は前記筐体の同一面に設けられていることを特徴とする請求項１又は２記載の投射型画像表示装置。
【発明の詳細な説明】
【０００１】
【発明の属する技術分野】
本発明は、投射型画像表示装置に設けられた光学部材の位置や姿勢などを調整する調整手段に関するものである。
【０００２】
画像を大画面にて映し出す投射型画像表示装置として反射型液晶ライトバルブを用いた反射型プロジェクタが知られている。このような反射型プロジェクタは、光源が発する照明光を、Ｒ，Ｇ，Ｂの各色光ごとに分解した後、Ｒ，Ｇ，Ｂ光に対応する各反射型ライトバルブにそれぞれ照射し、各反射型ライトバルブから出射する画像光を合成して投射レンズによってスクリーンに投射している。
【０００３】
反射型プロジェクタでは、光源から投射レンズまでの間に設けられた反射型ライトバルブ、偏光板や１／４波長板などの光学部材を、光軸を中心に回転させたり固定位置を調整することで、スクリーンに投射する画像のピント合わせやコントラストの調整を行っている。これらの調整は、各光学部材に設けられた調整部材を反射型プロジェクタの筐体から突出させており、この突出した調整部材を操作して行っている。
【０００４】
また、筐体の上部には反射型ライトバルブの駆動回路を備えた回路基板が設けられている。回路基板は、反射型ライトバルブとフレキシブル電極で電気的に接続されており、ノイズの影響を避けるために反射型ライトバルブのできるだけ近傍に配置されている。更に、反射型プロジェクタの各部品を筐体に取り付ける際には、体積、重量がともに大きな投射レンズや偏光ビームスプリッタ（以下、ＰＢＳとする）などを先に取り付けた後に、別の工程で回路基板などが取り付けられる。そのために、従来の反射型プロジェクタでは回路基板の下に調整部材が配置設されていた。
【０００５】
【発明が解決しようとする課題】
しかしながら、上記したように筐体に設けられた調整部材が、回路基板の下に配置されていると、筐体と回路基板の間の狭い隙間に手を入れて調整部材を調整しなければならず、調整作業がしにくいという問題があった。更に、調整作業は反射型ライトバルブを駆動させながら行う場合と、反射型ライトバルブを駆動させずに行う場合とがあり、駆動させながら調整を行う場合には、電圧のかかっている回路基板の下で調整作業を行わなければならず作業性も悪く危険であった。
【０００６】
本発明は、上記問題点を解決するためになされたものであり、投射画像の画質を向上させるための調整作業を容易に行うことができる投射型画像表示装置を提供することを目的とする。
【０００７】
【課題を解決するための手段】
本発明の投射型画像表示装置では、光源と、この光源からの光を変調する液晶ライトバルブと、変調された画像光をスクリーンに投射する投射レンズと、前記光源から前記投射レンズまでの光路上に設けられ、光の照度分布や偏光方向を前記画像光を投射するために最適な状態にする光学部材とを収納する筐体を有した投射型画像表示装置において、前記液晶ライトバルブ及び前記光学部材のうち少なくとも一つの姿勢及び／または固定位置の調整を行う調整手段と、前記液晶ライトバルブを駆動させる回路基板とを前記筐体の異なる面側に設けたものである。
【０００８】
また、前記光学部材は、偏光板、波長板、及びインテグレータ光学系のうちの少なくとも一つであることが好ましい。また、前記調整手段が複数設けられている場合は、これらの調整手段は前記筐体の同一面に設けられていることが好ましい。
【０００９】
【発明の実施の形態】
図１に投射画像表示装置である反射型プロジェクタを用いた大画面のテレビジョンの外観を示す。箱体２の前面に拡散透過型のスクリーン３が設けられ、その背面に投射された画像が前面側から観察される。箱体２の内部には反射型プロジェクタ５が組み込まれ、その投射画像はミラー６で反射されスクリーン３の背面に結像される。このテレビジョンは、箱体２の内部にチューナー回路などのほか、ビデオ信号及び音声信号再生用の周知の回路ユニットを組み込み、反射型プロジェクタ５に画像表示手段として組み込まれた反射型ライトバルブはビデオ信号の再生画像を表示している。
【００１０】
図２に示すように、反射型プロジェクタ５の筐体８は略直方体の第一筐体８ａと第二筐体８ｂとが一体に形成されている。第一筐体８ａには、スクリーンに画像光を投射させるための反射型ライトバルブなどの各種光学部材が設けられている。第二筐体８ｂには、反射型プロジェクタ５の筐体８内を冷却するためのファン（図示せず）が設けられている。第一筐体８ａの上面側には、光軸を上方に向けて投射レンズ９が設けられており、さらに第一筐体８ａの上面を覆うように反射型ライトバルブを駆動させる回路基板１０が設けられている。回路基板１０はフレキシブル電極１１によって第一筐体８ａに組み込まれた反射型ライトバルブと電気的に接続されている。また、第一筐体８ａの下面には、偏光板、１／４波長板、反射型ライトバルブなどを光軸を中心に回転調整するための調整部材１３が突出して設けられている。なお、回転調整について詳しくは後述する。
【００１１】
図３に反射型プロジェクタ５の構成を概略的に示す。反射型プロジェクタ５は、光源１５、インテグレータ光学系としてフライアイレンズ１６ａ及び１６ｂ、偏光変換素子１７、ダイクロイックミラー１８、第一ＰＢＳ２３、第二ＰＢＳ２４と、１／４波長板２５Ｒ、２５Ｇ、２５Ｂ、反射型の液晶ライトバルブとしてＲ光用ＬＣＯＳ２７Ｒ、Ｇ光用ＬＣＯＳ２７Ｇ、Ｂ光用ＬＣＯＳ２７Ｂと、レンズ群２８、２９と、合成プリズム３０等から構成されており、フルカラーでスクリーン３に画像投射を行うことができる。
【００１２】
光源１５は、ランプ３３ならびに放物面形状の凹面鏡３４から構成される。光源１５から発光する光源光は、凹面鏡３４によって反射されて、略平行光となり前方に照射される。
【００１３】
フライアイレンズ１６ａ、１６ｂは、複数のレンズが格子状に配置されて一体に形成されている。１枚目のフライアイレンズ１７ａでは光源１５からの光束を分割し、それぞれの光束を２枚目の偏心したフライアイレンズ１７ｂによって照射領域に導く。これにより、光源１５の輝度むらを分散させてＬＣＯＳ２７Ｒ、ＬＣＯＳ２７Ｇ、ＬＣＯＳ２７Ｂの光の入射面を均一に照射する。
【００１４】
フライアイレンズ１６ａ、１６ｂを通過した光源光は、偏光変換素子１７に入射する。偏光変換素子１７は、光源光に含まれる特定の偏波面を持たないＲ、Ｇ、Ｂの各色光をＳ偏光に変換する。これにより、偏光変換素子１５を通過したＲ、Ｇ、Ｂ光のＳ偏光は、ダイクロイックミラー１８に入射する。
【００１５】
ダイクロイックミラー１８は入射光軸に対して入射角度４５度を有して配置している。ダイクロイックミラー１８はＲ光及びＧ光反射特性を有しているため、ダイクロイックミラー１８に入射した光源光のうち、Ｂ光はダイクロイックミラー１８を透過して、Ｒ光とＧ光は入射光軸に対して直交方向に反射する。
【００１６】
ダイクロイックミラー１８を透過したＢ光は偏光板１９に入射する。偏光板１９は、Ｓ偏光の光だけを透過させる。偏光変換素子１７では、光源光を全てＳ偏光に変換することができないため、完全にＳ偏光に変換できなかったＢ光を偏光板１９で吸収してＳ偏光だけを透過させる。この時、Ｓ偏光が最も多く透過するように、光軸を中心に偏光板１９を回転調整する。偏光板１９を透過したＢ光のＳ偏光は第一ＰＢＳ２３に入射する。
【００１７】
他方、ダイクロイックミラー１８で反射したＲ光及びＧ光は偏光板２０に入射する。偏光板２０もＳ偏光の光だけを透過させるので、Ｒ光とＧ光も上記と同様に、Ｓ偏光が最も多く透過するように偏光板２０を光軸を中心に回転調整する。偏光板２０を透過したＲ光及びＧ光のＳ偏光は、偏光回転板２１に入射する。偏光回転板２１は波長選択性を備えており、Ｒ光に対しては、偏光を９０度回転させて透過させるが、Ｇ光に対しては偏光を回転させずにそのまま透過させる特性を持っている。そのため、Ｒ光は偏波面が９０度回転され、偏光状態がＳ偏光からＰ偏光となり、Ｇ光は偏波面が回転されずにＳ偏光のまま第二ＰＢＳ２４に入射する。
【００１８】
第一及び第二ＰＢＳ２３、２４に設けられた偏光分離面２３ａ、２４ａは、Ｓ偏光を反射させてＰ偏光を透過させる。第一ＰＢＳ２３に入射したＢ光のＳ偏光は、偏光分離面２３ａで反射して１／４波長板２５Ｂを介してＬＣＯＳ２７Ｂに入射する。第二ＰＢＳ２４では、Ｐ偏光に変換されたＲ光は偏光分離面２４ａを透過し、１／４波長板２５Ｒを介してＬＣＯＳ２７Ｒに入射する。Ｇ光のＳ偏光は偏光分離面２４ａで反射し、１／４波長板２５Ｇを介してＬＣＯＳ２７Ｇに入射する。
【００１９】
ＬＣＯＳ２７Ｒ、２７Ｇ、２７Ｂは、電気書き込み式反射型ライトバルブである。すなわち、シリコン基板上にＴＦＴ等の非線形スイッチング素子が複数の画素にそれぞれ対応するように設けられ、これらＴＦＴの画素を構成する液晶層に対して画像信号に応じて選択的に電圧が印加される。電圧が印加された液晶層は、液晶分子の配列が変わり、液晶層が位相板の役目を果たすようになる。したがって、反射型ライトバルブに入射された偏光を液晶層を経由して反射層に導き、反射層で反射して反射型ライトバルブから出射させることにより、入射された偏光と振動方向が異なる偏光が変調光として出射される。
【００２０】
一方、反射型ライトバルブの非選択の画素に対応する部分、すなわち、電圧が印加されないＴＦＴに入射された偏光は、液晶分子の初期の配向の捻れ構造に従って進行して反射層にて反射される。この反射光は再び捻れ構造に従って逆に進行することより、入射された偏光と振動方向が同じ偏光として出射される。このように、反射型ライトバルブの反射光は、変調光と非変調光とからなる混合光である。
【００２１】
ＬＣＯＳ２７Ｒ、２７Ｇ、２７Ｂでは、選択画素である白表示に対して電圧を印加させ、非選択画素である黒表示に対しては電圧を印加させない。つまり、ＬＣＯＳ２７Ｂ、２７Ｇでは選択画素の場合は、入射したＳ偏光をＰ偏光に変調して反射し、非選択画素の場合は、Ｓ偏光のまま反射する。また、ＬＣＯＳ２７Ｒでは、選択画素の場合は入射したＰ偏光をＳ偏光に変調して反射し、非選択画素の場合は変調せずにＰ偏光のまま反射する。
【００２２】
ＬＣＯＳ２７Ｒ、２７Ｇ、２７Ｂから反射したＲ，Ｇ、Ｂ光は、再び１／４波長板２５Ｒ、２５Ｇ、２５Ｂを介して第一及び第二ＰＢＳ２３、２４に入射する。変調されたＢ光及びＧ光のＰ偏光は偏光分離面２３ａ、２４ａを透過し、レンズ群２８、２９を介して合成プリズム３０に入射する。また、非変調のＳ偏光は、偏光分離面２３ａ、２４ａで光源１５の方向に反射する。変調されたＲ光のＳ偏光は偏光分離面２４ａで反射して、レンズ群２９を介して合成プリズム３０に入射する。非変調のＰ偏光は偏光分離面２４ａで光源１５の方向に透過する。なお、レンズ群２８、２９は投射レンズ９の一部を成しており、スクリーン３面への結像に関与している。
【００２３】
１／４波長板２５Ｒ、２５Ｇ、２５Ｂは、各Ｒ、Ｇ、Ｂ光の中心的な波長において、互いに直交する進相軸と遅相軸とで位相差が１／４波長となるものである。１／４波長板２５Ｒ、２５Ｇ、２５Ｂに入射したＲ、Ｇ、Ｂ光は、反射型ライトバルブを使用した場合では、１／４波長板２５Ｒ，２５Ｇ、２５Ｂには光が２回通過するので、実際には１／２波長板として作用する。
【００２４】
第一及び第二ＰＢＳ２３、２４に入射する光線と入射光軸とのなす角度が大きいと、投射画像のコントラストが低下する。そのため、第一及び第二ＰＢＳ２３、２４とＬＣＯＳ２７Ｒ、２７Ｇ、２７Ｂの間に１／４波長板２５Ｒ、２５Ｇ、２５Ｂを設け、この１／４波長板２５Ｒ、２５Ｇ、２５Ｂの進相軸または遅相軸が第一及び第二ＰＢＳ２３，２４の入射光軸と反射光軸とを含む平面に直交するように１／４波長板２５Ｒ、２５Ｇ、２５Ｂを回転調整する。これにより、光線が第一及び第二ＰＢＳ２３，２４に斜めに入射する場合、偏光子としての第一及び第二ＰＢＳ２３、２４から射出する光線は一部の偏光方向が理想的な方向から回転した楕円偏光となるが、光線が１／４波長板２５Ｒ、２５Ｇ、２５Ｂを通過することによって、ＬＣＯＳ２７Ｒ、２７Ｇ、２７Ｂ上では円偏光として作用させ、入射光が直線偏光ではないことの影響を回避している。これにより、第一及び第二ＰＢＳ２３、２４を検光子として最適に使用できる偏光方向となり、投射画像のコントラストが向上する。
【００２５】
合成プリズム３０は、Ｂ光のみを反射させる特性を持っているから、合成プリズム３０に入射したＢ光は反射し、Ｒ光及びＧ光は透過する。これにより、Ｒ、Ｇ、Ｂの各画像光が合成されて、合成された光が投影光として投影レンズ９を介してスクリーン３に投影される。
【００２６】
また、ＬＣＯＳ２７Ｒ、２７Ｇ、２７Ｂの光軸に対する取付位置、取付姿勢にバラツキがあると、投射画像に画素ズレや片ボケ等の不都合が生じる。そのため、ＬＣＯＳ２７Ｒ、２７Ｇ、２７Ｂを入射光軸に対し位置・姿勢を調整して画像のずれを防止している。さらに、第二ＰＢＳ２４とレンズ群２９の間に波長選択性偏光回転板と偏光板を設けることにより、所望の色成分以外の成分をカットすることが多く行われる。この波長選択性偏光回転板は、Ｒ光の中心的な波長域に対してのみ偏光を９０°回転させ、偏光板はＰ偏光のみを透過させてＳ偏光を吸収するものである。
【００２７】
例えば、図４（Ａ）のグラフに示すように、Ｒ光のλａの波長域が鮮明な投射画像を得る際に不要である。そのため、第二ＰＢＳ２４からのＲ光のＳ偏光（Ｒｓ）とＧ光のＰ偏光（Ｇｐ）が、波長選択性偏光回転板に入射すると、図４（Ｂ）のグラフに示すように、Ｒ光の中心的な波長域であるλｂではＳ偏光がＰ偏光に変換される（Ｒｐ）。Ｇ光は変換されずにＰ偏光のままである。そして、波長選択性偏光回転板を通過したＲ光とＧ光は偏光板に入射する。このとき、λｂの波長域ではＲ光はＰ偏光なので偏光板を通過し、λａの波長域ではＲ光はＳ偏光なので波長板に吸収される。Ｇ光はＰ偏光なので全て波長板を通過する。これにより、所望の色成分以外の成分をカットすることができる。なお、この場合、第１ＰＢＳ２３とレンズ群２８の間にダミー部材を設け光路長を合わせる。更に、この時の偏光板の回転方向も、入射側偏光板２０に対して理想的な位置に調整されなければならず、ここでも本発明の利点が生かせる。
【００２８】
図５はＧ光用の１／４波長板２５ＧとＬＣＯＳ２７Ｇの回転調整を例に挙げて説明する。なお、Ｂ光及びＲ光の１／４波長板２５Ｒ、２５ＢとＬＣＯＳ２７Ｒ、２７Ｂも同様の構成のために説明は省略する。更に、偏光板１９、２０も１／４波長板２５Ｇと同様の構成である。図５は反射型プロジェクタ５の下面を上にした際の１／４波長板２５ＧとＬＣＯＳ２７Ｇを示す。第二ＰＢＳ２４の上下には第二ＰＢＳ２４を第一筐体８ａ内で保持する天板３５と台板３６が取り付けられている。
【００２９】
１／４波長板２５Ｇは枠部材３８に嵌め込まれており、この枠部材３８には１／４波長板２５Ｇを回転調整するための調整部材１３が枠部材３８から突出して一体に設けられている。波長板ホルダ４０は、一方の側面に枠部材３８を嵌め込むための凹部４１が形成されており、その中央部には光源１５からの光を通過させる開口部４３が設けられている。波長板ホルダ４０の図中上面には、枠部材３８を凹部４１に嵌め込んだ際に調整部材１３を突出させる切欠部４５が設けられている。また、枠部材３８が凹部４１に嵌め込まれた際に、入射光軸を中心に枠部材３８が回転可能に枠部材３８と凹部４１には摺動する円弧部が設けられている。また、波長板ホルダ４０の他方の側面には、回転規制孔４７が開口部４３の上下に設けられている。回転規制孔４７は開口部４３の真ん中を中心とする円弧に沿った長穴である。
【００３０】
ＬＣＯＳ２７Ｇに設けられたフレキシブル電極１１の反対側の端部には、入射光軸を中心にＬＣＯＳ２７Ｇを回転調整するための調整部材１３が設けられている。また、ＬＣＯＳ２７Ｇの光の入射面を開口部４３に一致させた際に、回転規制孔４７に対応する位置には規制ピン４８が２箇所設けられている。この規制ピン４８を回転規制孔４７に挿入することでＬＣＯＳ２７Ｇの回動範囲が規制される。
【００３１】
１／４波長板２５Ｇを凹部４１に嵌め込み、ＬＣＯＳ２７Ｇの規制ピン４８を回転規制孔４７に挿入させて、ＬＣＯＳ２７Ｇの周縁部と波長板ホルダ４０とを当接させ、第二ＰＢＳ２４からの入射光軸が１／４波長板２５Ｇ及びＬＣＯＳ２７Ｇの入射面の中心部を通るように、天板３５と台板３６に波長板ホルダ４０を固着する。１／４波長板２５Ｇ及びＬＣＯＳ２７Ｇの固着された第二ＰＢＳ２４を第一筐体８ａの所定位置に取り付ける。すると、図２に示すように第一筐体８ａの下面の所定個所に設けられた開口部（図示せず）から調整部材１３を突出する。
【００３２】
次に、本実施形態の作用について説明する。反射型プロジェクタ５の第一筐体８ａに各種光学部材を組み込んだ後、ＬＣＯＳ２７Ｒ、２７Ｇ、２７Ｂを駆動させながら、第一筐体８ａの下面から突出した調整部材１３を調整操作して、偏光板１９，２０、１／４波長板２５Ｒ、２５Ｇ、２５ＢやＬＣＯＳ２７Ｒ、２７Ｇ、２７Ｂをそれぞれの入射光軸を中心に回転調整することにより、投射画像のピント合わせやコントラストの調整を行う。調整部材１３の上部には調整操作をする際に邪魔になる回路基板１０などが無いために調整操作が容易に行える。
【００３３】
なお、上記本実施形態では、それぞれの入射光軸を中心にＬＣＯＳ２７Ｒ、２７Ｇ、２７Ｂの回転調整をしたが、例えば、図３に示すように、ＬＣＯＳ２７Ｇに入射する光軸と平行方向をＺ軸として、このＺ軸と直交し、かつ互いに直交するＸ軸とＹ軸とを設けて、ＬＣＯＳ２７Ｒ、２７Ｇ、２７Ｂの固定位置を各ＸＹＺ軸方向に移動させる移動機構及び調整部材を設けて固定位置を調整させてもよい。また、ＬＣＯＳ２７Ｇの場合では、Ｚ軸と入射光軸とを一致させて、ＬＣＯＳ２７Ｇの入射面上にＸ軸及びＹ軸を配置させ、このＸ軸及びＹ軸を各々中心に回転調整可能な回転機構及び調整部材を設け、ＬＣＯＳ２７Ｇの姿勢を調整してもよい。また、ＬＣＯＳ２７Ｒ、２７Ｂの場合も同様に、Ｘ軸と入射光軸とを一致させて、Ｚ軸とＹ軸とを入射面上に配置させ、Ｚ軸とＹ軸とを中心に回転調整可能な回転機構及び調整部材を設けて、ＬＣＯＳ２７Ｒ、２７Ｂの姿勢を回転調整してもよい。この場合には、より精度良くＬＣＯＳ２７Ｒ、２７Ｇ、２７Ｂからの反射光を一致させることができ、投射画像の画質が向上する。
【００３４】
また、フライアイレンズ１６ａ、１６ｂの固定位置を、図３に示すＸ軸及びＹ軸方向に移動可能な機構及び調整部材を設けて、フライアイレンズ１６ａ、１６ｂの固定位置の調整を行ってもよい。この場合には、光源１５からの光をＬＣＯＳ２７Ｒ、２７Ｇ、２７Ｂの入射面全体を均一に照射することができる。
【００３５】
また、上記本実施形態では、第一筐体８ａの上面側に回路基板１０を、下面に調整部材１３を設けたが、上面に調整部材１３を設けて下面側に回路基板１０を設けてもよい。また、筐体８の形状は略直方体の形状としたがこれに限らず、回路基板１０と調整部材１３が筐体の異なる位置側に設けられる形状であればよい。また、反射型ライトバルブを備えた反射型プロジェクタ５を使用したが透過型ライトバルブを備えた透過型プロジェクタに本発明を用いてもよい。
【００３６】
【発明の効果】
本発明によれば、光源と、この光源からの光を変調する液晶ライトバルブと、変調された画像光をスクリーンに投射する投射レンズと、光源から投射レンズまでの光路上に設けられ、光の照度分布や偏光方向を画像光を投射するために最適な状態にする光学部材とを収納する筐体を有した投射型画像表示装置に、液晶ライトバルブ及び光学部材のうち少なくとも一つの姿勢及び／または固定位置の調整を行う調整手段と、液晶ライトバルブを駆動させる回路基板とを筐体の異なる面側に設けたので、液晶ライトバルブを駆動させた状態で、投射画像の画質を向上させるための調整作業を容易に行うことができるので生産性が向上する。
【図面の簡単な説明】
【図１】本発明を用いたテレビジョンの外観を示す概略図である。
【図２】反射型プロジェクタの概略を示す平面図である。
【図３】反射型プロジェクタの光学的構成を示す平面図である。
【図４】所望の色成分以外の成分をカットする様子を示すグラフである。
【図５】回転調整機構の一例を示す斜視図である。
【符号の説明】
５  反射型プロジェクタ
９  投射レンズ
１０  回路基板
１１  フレキシブル電極
１３  調整部材
１９、２０  偏光板
２５Ｒ  Ｒ光用１／４波長板
２５Ｇ  Ｇ光用１／４波長板
２５Ｂ  Ｂ光用１／４波長板
２７Ｒ  Ｒ光用ＬＣＯＳ
２７Ｇ  Ｇ光用ＬＣＯＳ
２７Ｂ  Ｂ光用ＬＣＯＳ
【図１】
2005031296.tif 000003
【図２】
2005031296.tif 000004
【図３】
2005031296.tif 000005
【図４】
2005031296.tif 000006
【図５】
2005031296.tif 000007